(57)【要約】【課題】電柱の頂部に設置する際や経時変化等によっても下がり難くできると共に、重量をなるべく軽量化することができる頂部設備取付け装置を提供すること。【解決手段】電柱などの支柱２の頂部に架空地線等の頂部設備を取り付けるための頂部設備取付け装置１’であって、支柱２の頂部に装着して、その頂部に巻き付けて固定するバンド部材１１と、支柱２の頂部から離隔するようにバンド部材１から上方へ延びる離隔部材１２’と、離隔部材１２’の上部に設けられ架空地線を支持する架空地線支持部材１５と、離隔部材１２’におけるバンド部材１の取付け場所よりも上方に取り付けられ、支柱２の頂部側に突出して、支柱２の頂部に当接するストッパ部材１４とを有する。【選択図】図５
2015091160.tif 000002
【特許請求の範囲】
【請求項１】
電柱などの支柱の頂部にアンテナや架空地線等の頂部設備を取り付けるための頂部設備取付け装置であって、
支柱の頂部に装着して、その頂部に巻き付けて固定するバンド部材と、
支柱の頂部から離隔するようにバンド部材から上方へ延びる少なくとも一対の離隔部材と、
前記離隔部材の上部に設けられ前記頂部設備を支持する頂部設備支持部材と、
前記離隔部材におけるバンド部材の取付け場所よりも上方に取り付けられ、支柱の頂部側に突出して、支柱の頂部に当接するストッパ部材と、
を有することを特徴とする頂部設備取付け装置。
【請求項２】
請求項１記載の頂部設備取付け装置において、
前記ストッパ部材は、
前記離隔部材にボルト孔を介しボルトおよびナットによりそれぞれ取り付けられ、そのボルト孔の位置が中心よりズレており、回転させて支柱の頂部に当接する部分の高さを変えることにより支柱に対する本装置の取付け高さが調整可能であることを特徴とする頂部設備取付け装置。
【請求項３】
請求項２記載の頂部設備取付け装置において、
ストッパ部材は、
上下方向の中心よりずらした位置にボルト孔が設けられた背板と、
その背板の両側から折れ曲がって支柱の頂部に当接するように突出した一対の側板とから構成されたことを特徴とする頂部設備取付け装置。
【請求項４】
請求項１〜請求項３のいずれか一の請求項に記載の頂部設備取付け装置において、
前記頂部設備は、棒状アンテナであって、
前記離隔部材は、
細幅の長尺で支柱を挟みほぼ１８０度対向する箇所に設けられる一対の長尺細幅離隔部材と、
細幅の長尺で一対の長尺細幅離隔部材に対してはそれぞれほぼ９０度ずれた箇所で、かつ、支柱を挟みほぼ１８０度対向する箇所に設けられ、一対の長尺細幅離隔部材よりも短い一対の短尺細幅離隔部材と、
一対の短尺細幅離隔部材の上部をそれぞれ両側の一対の長尺細幅離隔部材に連結する一対の連結金具とを有し、
当該一対の連結金具は、前記頂部設備支持部材によって挟持された前記棒状アンテナの下端部よりも下方の位置で一対の短尺細幅離隔部材の上部をそれぞれ両側の一対の長尺細幅離隔部材に連結することを特徴とする頂部設備取付け装置。
【請求項５】
請求項４記載の頂部設備取付け装置において、
ストッパ部材は、一対の短尺細幅離隔部材それぞれに設けられることを特徴とする頂部設備取付け装置。
【請求項６】
請求項１〜請求項３のいずれか一の請求項に記載の頂部設備取付け装置において、
前記頂部設備は、架空地線であって、
前記離隔部材は、
細幅の長尺で支柱を挟みほぼ等角度で設けられる長尺細幅離隔部材と、
その長尺細幅離隔部材の上部に設けられ、ガイシにより前記架空地線を掛止する架空地線掛止部材とを有することを特徴とする頂部設備取付け装置。
【発明の詳細な説明】
【技術分野】
【０００１】
本発明は、電柱などの支柱の頂部（頭部）にアンテナや架空地線（架空電線）等の頂部設備を取り付けるための頂部設備取付け装置に関する。
【背景技術】
【０００２】
電柱などの支柱の頂部にアンテナ等の頂部設備を取り付けるための頂部設備取付け装置として、２分割された大径筒部および小径筒部を有する支柱金具を有し、これらをボルトおよびナットにより締め付けてアンテナを取り付けると共に、電柱などの支柱に取り付けるものが提案されている（例えば、特許文献１参照。）。
【先行技術文献】
【特許文献】
【０００３】
【特許文献１】実開昭５３−１５４３９４号公報
【発明の概要】
【発明が解決しようとする課題】
【０００４】
ところで、電柱所有者の規定には、例えば、電柱の頂部にアンテナや架空地線等の頂部設備や金具を取り付ける場合、頂部設備や金具とその下方の高圧送電線との接触事故などの防止を目的した高圧配電規格の保護する規定がある。この規定は、高圧送電線から所定長以上の離隔を確保してアンテナや架空地線等の頂部設備や金具を設置することを決めている。
【０００５】
そのため、頂部設備取付け装置を電柱の頂部に設置する際や、経時変化等によって本装置が下がった場合、上述の電柱所有者の規定を満足できなくなると共に、高圧送電線によって頂部設備取付け装置によって取り付けているアンテナ等の頂部設備に悪影響を与える恐れがあるという問題がある。
【０００６】
また、前述の特許文献１に記載の頂部設備取付け装置では、支柱の頂部のほとんどを覆っているため、重量が増大し、作業性が悪いという問題もある。
【０００７】
さらに、電柱など支柱の頂部は、モルタル等で形成されているが、そのモルタルにはバラつきがあり、支柱の高さが異なる場合があるが、前述の特許文献１に記載の頂部設備取付け装置では、支柱の頂部に支柱金具の大径筒部から小径筒部に亘る傾斜部を当接して支柱の頂部に装着しているため、支柱頂部のモルタルのバラつきに応じて上下方向の調整はできないという問題もある。
【０００８】
そこで、本発明はこのような問題点に鑑みてなされたもので、電柱の頂部に設置する際や経時変化等によっても下がり難くできると共に、重量をなるべく軽量化することができる頂部設備取付け装置を提供することを目的とする。
【課題を解決するための手段】
【０００９】
上記課題を解決するため、本発明に係る頂部設備取付け装置は、電柱などの支柱の頂部にアンテナや架空地線等の頂部設備を取り付けるための頂部設備取付け装置であって、支柱の頂部に装着して、その頂部に巻き付けて固定するバンド部材と、支柱の頂部から離隔するようにバンド部材から上方へ延びる少なくとも一対の離隔部材と、前記離隔部材の上部に設けられ前記頂部設備を支持する頂部設備支持部材と、前記離隔部材におけるバンド部材の取付け場所よりも上方に取り付けられ、支柱の頂部側に突出して、支柱の頂部に当接するストッパ部材と、を有することを特徴とする。
ここで、前記ストッパ部材は、前記離隔部材にボルト孔を介しボルトおよびナットによりそれぞれ取り付けられ、そのボルト孔の位置が中心よりズレており、回転させて支柱の頂部に当接する部分の高さを変えることにより支柱に対する本装置の取付け高さを調整可能にすると良い。
また、ストッパ部材は、上下方向の中心よりずらした位置にボルト孔が設けられた背板と、その背板の両側から折れ曲がって支柱の頂部に当接するように突出した一対の側板とから構成されているとさらに良い。
また、前記頂部設備は、棒状アンテナであって、前記離隔部材は、細幅の長尺で支柱を挟みほぼ１８０度対向する箇所に設けられる一対の長尺細幅離隔部材と、細幅の長尺で一対の長尺細幅離隔部材に対してはそれぞれほぼ９０度ずれた箇所で、かつ、支柱を挟みほぼ１８０度対向する箇所に設けられ、一対の長尺細幅離隔部材よりも短い一対の短尺細幅離隔部材と、一対の短尺細幅離隔部材の上部をそれぞれ両側の一対の長尺細幅離隔部材に連結する一対の連結金具とを有し、当該一対の連結金具は、前記頂部設備支持部材によって挟持された前記棒状アンテナの下端部よりも下方の位置で一対の短尺細幅離隔部材の上部をそれぞれ両側の一対の長尺細幅離隔部材に連結するとさらに良い。
また、ストッパ部材は、一対の短尺細幅離隔部材それぞれに設けられると良い。
また、前記頂部設備は、架空地線であって、前記離隔部材は、細幅の長尺で支柱を挟みほぼ等角度で設けられる長尺細幅離隔部材と、その長尺細幅離隔部材の上部に設けられ、ガイシにより前記架空地線を掛止する架空地線掛止部材とを有していても良い。
【発明の効果】
【００１０】
本発明に係る頂部設備取付け装置では、離隔部材の上部に設けられアンテナの基部を挟持する頂部設備支持部材と、離隔部材にボルト孔を介しボルトおよびナットにより取り付けられ、そのボルト孔の位置が中心よりズレており、回転させて支柱の頂部に当接する部分の高さを変えることにより支柱に対する本装置の取付け高さを調整可能なストッパ部材を設けたため、支柱頂部のモルタルのバラつきに応じて上下方向の調整を簡単に実行することができると共に、重量をなるべく軽量化することができる。
【図面の簡単な説明】
【００１１】
【図１】本発明に係る実施の形態１の頂部設備取付け装置の正面図である。
【図２】本発明に係る実施の形態１の頂部設備取付け装置の側面図である。
【図３】（ａ）〜（ｃ）それぞれ本発明に係る実施の形態１の頂部設備取付け装置のストッパ部材の平面図、正面図、側面図である。
【図４】（ａ），（ｂ）それぞれ図２におけるＡ部分の拡大図であって、本発明に係る実施の形態１の頂部設備取付け装置による高さ調整状態を示す図である。
【図５】本発明に係る実施の形態２の頂部設備取付け装置の正面図である。
【図６】本発明に係る実施の形態２の頂部設備取付け装置の平面図である。
【図７】本発明に係る実施の形態２の頂部設備取付け装置の側面図である。
【発明を実施するための形態】
【００１２】
次に、本発明に係る頂部設備取付け装置の実施の形態１，２について説明する。尚、実施の形態１では頂部設備として棒状アンテナを取付け、実施の形態２では頂部設備として架空地線（架空電線）を取付けるものとして説明するが、本発明では、取付ける頂部設備として棒状アンテナと架空地線（架空電線）に限定されるものではない。
【００１３】
＜実施の形態１＞
【００１４】
実施の形態１の頂部設備取付け装置１は、図１および図２に示すように、電柱などの支柱２の頂部に棒状アンテナ３を取り付けるためのもので、バンド部材１１と、離隔部材１２と、棒状アンテナ支持部材１３と、ストッパ部材１４等を有する。
【００１５】
バンド部材１１は、支柱２の頂部に装着して、その頂部に巻き付けてボルトやナット等により固定する周知のもので、実施の形態１では、所定間隔だけ離して上下２箇所に設けられている。
【００１６】
離隔部材１２は、その基部がバンド部材１１に取付けられ、上方へ行くに従い次第に支柱２の中心に近付くように斜めに延びるもので、この実施の形態１では、一対の長尺細幅離隔部材１２ａ，１２ａと、一対の短尺細幅離隔部材１２ｂ，１２ｂと、一対の連結金具１２ｃ，１２ｃ等から構成される。
【００１７】
一対の長尺細幅離隔部材１２ａ，１２ａは、それぞれ、薄板状で細幅の長尺で支柱２を挟みほぼ１８０度対向する箇所に設けられるものである。
【００１８】
一対の短尺細幅離隔部材１２ｂ，１２ｂは、それぞれ、一対の長尺細幅離隔部材１２ａ，１２ａと同じ薄板状でかつ細幅の短尺で、一対の長尺細幅離隔部材１２ａ，１２ａに対してはそれぞれほぼ９０度ずれた箇所で、かつ、支柱２を挟みほぼ１８０度対向する箇所に設けられ、一対の長尺細幅離隔部材１２ａ，１２ａよりも短く構成されている。なお、長尺細幅離隔部材１２ａ，１２ａや短尺細幅離隔部材１２ｂ，１２ｂに、後述する実施の形態２のようにハンドル１２ｅを取付けても良い。
【００１９】
一対の連結金具１２ｃ，１２ｃは、一対の長尺細幅離隔部材１２ａ，１２ａにおける一対の短尺細幅離隔部材１２ｂ，１２ｂの先端部の高さに取り付けられ、それぞれ、その両側において一対の短尺細幅離隔部材１２ｂ，１２ｂの先端部に連結されるように構成されている。
【００２０】
なお、長尺細幅離隔部材１２ａ，１２ａや、短尺細幅離隔部材１２ｂ，１２ｂ、連結金具１２ｃ，１２ｃは、互いにピンやネジ、ボルトおよびナット等によって連結される。
【００２１】
その際、図１および図２に示すように、一対の連結金具１２ｃ，１２ｃは、棒状アンテナ支持部材１３によって挟持された棒状アンテナ３の下端部よりも下方の位置で一対の短尺細幅離隔部材１２ｂ，１２ｂの上部をそれぞれ両側の一対の長尺細幅離隔部材１２ａ，１２ａに連結している。つまり、短尺細幅離隔部材１２ｂ，１２ｂの長さは、長尺細幅離隔部材１２ａ，１２ａの長さよりも、棒状アンテナ３の下端部の突出長さを考慮して、それより短くしている。
【００２２】
そのため、図１および図２に示すように、棒状アンテナ支持部材１３によって挟持された棒状アンテナ３では、棒状アンテナ支持部材１３より下方の棒状アンテナ支持部材１３の下端部は、１８０度対向して設けられた一対の長尺細幅離隔部材１２ａ，１２ａのみ存在し、一対の短尺細幅離隔部材１２ｂ，１２ｂには存在しないことになる。
【００２３】
その結果、棒状アンテナ支持部材１３より下方の棒状アンテナ支持部材１３の下端部では、一対の短尺細幅離隔部材１２ｂ，１２ｂの上方から作業者の手等が簡単に挿入することが可能となり、棒状アンテナ３の下端部における配線等の工事やメンテナンス作業等を実行し易いという効果がある。
【００２４】
棒状アンテナ支持部材１３は、一対の長尺細幅離隔部材１２ａ，１２ａの上部に設けられ、ボルトやナット等によって棒状アンテナ３の基部の周囲を挟持することにより支持する。
【００２５】
ストッパ部材１４は、一対の短尺細幅離隔部材１２ｂ，１２ｂそれぞれの中央よりやや下方にボルト１４ｃやナット１４ｄ（図４（ａ），（ｂ）参照。）等により取り付けられるもので、図３(ａ)〜(ｃ)に示すように、背板１４ａと、その背板１４ａの両側から折れ曲がって支柱２の頂部に当接するように突出した一対の側板１４ｂ，１４ｂとから構成されている。なお、ストッパ部材１４，１４は、一対の短尺細幅離隔部材１２ｂ，１２ｂではなく、一対の短尺細幅離隔部材１２ｂ，１２ｂに設けるようにしても良い。
【００２６】
従って、この実施の形態１の頂部設備取付け装置１によれば、一対の短尺細幅離隔部材１２ｂ，１２ｂそれぞれに設けられたストッパ部材１４，１４が支柱２の頂部に当接する仮留機能によって、バンド部材１１で支柱２の頭部に本締めして固定する前や、経時変化等によってバンド部材１１による固定が緩んできた場合でも、頂部設備取付け装置１のずり下がりを防止できる。
【００２７】
そのため、電柱所有者の規定にて、例えば、頂部設備取付け装置１等の金具とその下方の高圧送電線との接触事故などの防止を目的した高圧配電規格の保護のため、高圧送電線から所定長以上の離隔を確保して頂部設備取付け装置１を設置する必要があるが、ストッパ部材１４がないと、バンド部材１１で支柱２の頭部に固定していない場合や、経時変化等によってバンド部材１１による固定が緩んできて、頂部設備取付け装置１が下がった場合、上述の電柱所有者の規定を満足できなくなると共に、高圧送電線によって棒状アンテナ３に悪影響を与える恐れがある。
【００２８】
しかし、この実施の形態１の頂部設備取付け装置１では、一対の短尺細幅離隔部材１２ｂ，１２ｂそれぞれに設けたストッパ部材１４，１４によって本装置１のずり下がりを確実に防止できるので、上述の電柱所有者の規定を満足できると共に、高圧送電線によって棒状アンテナ３に悪影響を与えることも防止できる。
【００２９】
また、ストッパ部材１４の背板１４ａには、図３(ｂ)に示すように上下方向の中心よりずらした位置（約１／３の位置）にボルト孔１４ａ１が設けられている。
【００３０】
そのため、支柱２の先端（上端）のモルタルの盛りが少ない場合は、図４(ａ)に示すようにボルト孔１４ａ１の下側が長くなるようにストッパ部材１４をセットする一方、支柱２の先端（上端）のモルタルの盛りが多い場合には、ボルト孔１４ａ１を中心にストッパ部材１４を１８０度回転させて、図４(ｂ)に示すようにボルト孔１４ａ１の上側が長くなるようにストッパ部材１４をセットする。
【００３１】
そのため、このストッパ部材１４によれば、支柱２の先端（上端）のモルタルに盛りのバラつきがあっても、そのバラつき応じてストッパ部材１４を回転させることによって、支柱２の先端（上端）のモルタルに盛りのバラつきを吸収することが可能になり、上下方向の調整を簡単に実行することができる。
【００３２】
特に、このストッパ部材１４は、上下方向の中心よりずらした位置にボルト孔１４ａ１が設けられた背板１４ａと、その背板１４ａの両側から折れ曲がって支柱２の頂部に当接するように突出した一対の側板１４ｂ，１４ｂとから構成したため、一対の側板１４ｂ，１４ｂの上部または下部が支柱２の頂部に確実に当接して本装置１の取付け高さを確実に調整できると共に、重量の増加も抑えることができる。
【００３３】
また、この実施の形態１の頂部設備取付け装置１では、離隔部材１１を薄板状で細幅の一対の長尺細幅離隔部材１２ａ，１２ａおよび一対の短尺細幅離隔部材１２ｂ，１２ｂにより構成したため、特許文献１の従来技術よりも部材の重量が減少し、重量をなるべく軽量化して、作業性を向上させることができる。
【００３４】
また、この実施の形態１の頂部設備取付け装置１では、棒状アンテナ支持部材１３より下方の棒状アンテナ支持部材１３の下端部には、一対の長尺細幅離隔部材１２ａ，１２ａのみ存在し、一対の短尺細幅離隔部材１２ｂ，１２ｂは存在しないため、一対の短尺細幅離隔部材１２ｂ，１２ｂの上方から作業者の手等が簡単に挿入することが可能となり、棒状アンテナ３の下端部における配線等の工事やメンテナンス作業等を実行し易いという効果もある。
【００３５】
また、この実施の形態１の頂部設備取付け装置１では、ストッパ部材１４を一対の長尺細幅離隔部材１２ａ，１２ａではなく、それよりも短く、かつ、上端部において２箇所一対の連結金具１２ｃ，１２ｃに連結される一対の短尺細幅離隔部材１２ｂ，１２ｂそれぞれの下部にボルト１４ｃおよびナット１４ｄにより取り付けているため、風の影響を受け易い高所にこの頂部設備取付け装置１を取り付ける場合にも、より風の影響を受けることなく支柱２の頂部に当接することができる。
【００３６】
＜実施の形態２＞
次に、実施の形態２の頂部設備取付け装置１について説明する。実施の形態２の頂部設備取付け装置１は、図５〜図７に示すように、電柱などの支柱２の頂部に架空地線（図示せず。）を取り付けるためのもので、実施の形態１の頂部設備取付け装置１と同様に、バンド部材１１と、離隔部材１２’と、架空地線掛止部材１５と、ストッパ部材１４等を有する。
【００３７】
なお、バンド部材１１とストッパ部材１４は、実施の形態１のものと共通であり、離隔部材１２’と架空地線掛止部材１５の構成が実施の形態１のものと異なるので、離隔部材１２’と架空地線掛止部材１５について説明する。
【００３８】
離隔部材１２’は、その基部がバンド部材１１に取付けられ、上方へ行くに従い次第に支柱２の中心に近付くように斜めに延びるもので、この実施の形態２では、４本の薄板状で細幅の長尺細幅離隔部材１２ａ’と、固定用ナット１２ｄ１およびナット１２ｄ２と、ハンドル１２ｅ等から構成される。
【００３９】
４本の長尺細幅離隔部材１２ａ’は、それぞれ、支柱２を挟みほぼ等角度、例えば、９０度ずつ設けられるもので、下方には１本おきにハンドル１２ｅが取り付けられている。そして、上部には、それぞれ、固定用ナット１２ｄ１が貫通する２つ前後のボルト孔が設けられており、これら９０度間隔の４本の長尺細幅離隔部材１２ａ’それぞれの先端部が寄り集まって架空地線掛止部材１５の平面視正方形の掛止部材基部１５ａの４面に当接して固定用ナット１２ｄ１およびナット１２ｄ２で固定される。
【００４０】
架空地線掛止部材１５は、図６等に示すように平面視正方形の短尺の角管などからなる掛止部材基部１５ａと、その掛止部材基部１５ａから水平方向にコ字状に延びるガイシ支持部１５ｂと、ガイシ支持部１５ｂに支持されたガイシ１５ｃとから構成される。
【００４１】
よって、以上のように構成された実施の形態２の頂部設備取付け装置１’を一定間隔で並んだ電柱等の支柱２の頂部に取り付け、各頂部設備取付け装置１’の架空地線掛止部材１５のガイシ１５ｃに架空地線を掛止することにより、一定間隔で並んだ電柱等の支柱２に架空地線を這わせることができる。
【００４２】
従って、この実施の形態２の頂部設備取付け装置１’によれば、一定間隔で並んだ電柱等の支柱２に架空地線を這わせる際、実施の形態１の頂部設備取付け装置１と同様に、ストッパ部材１４，１４が支柱２の頂部に当接する仮留機能によって、バンド部材１１で支柱２の頭部に本締めして固定する前や、経時変化等によってバンド部材１１による固定が緩んできた場合でも、頂部設備取付け装置１’のずり下がりを防止でき、高圧送電線から所定長以上の離隔を確保して頂部設備や金具等を設置しなければいけない上述の電柱所有者の規定も満足できる。
【００４３】
また、実施の形態１の頂部設備取付け装置１と同様に、支柱２の先端（上端）のモルタルに盛りのバラつきがあっても、そのバラつき応じてストッパ部材１４を回転させることによって、支柱２の先端（上端）のモルタルに盛りのバラつきを吸収することが可能になり、上下方向の調整を簡単に実行することができる。
【符号の説明】
【００４４】
１，１’  頂部設備取付け装置
１１  バンド部材
１２，１２’  離隔部材
１２ａ，１２ａ’  長尺細幅離隔部材
１２ｂ  短尺細幅離隔部材
１２ｃ  連結金具
１２ｄ１  固定ボルト
１２ｄ２  ナット
１２ｅ  ハンドル
１３  棒状アンテナ支持部材（頂部設備支持部材）
１４  ストッパ部材
１４ａ  背板
１４ｂ  側板
１５  架空地線掛止部材（頂部設備支持部材）
１５ａ  掛止部材基部
１５ｂ  ガイシ支持部
１５ｃ  ガイシ
２  支柱
３  棒状アンテナ（頂部設備）
【図１】
2015091160.tif 000003
【図２】
2015091160.tif 000004
【図３】
2015091160.tif 000005
【図４】
2015091160.tif 000006
【図５】
2015091160.tif 000007
【図６】
2015091160.tif 000008
【図７】
2015091160.tif 000009